(57)【要約】【課題】材質を銅とした接続管を接続管挿入孔に押し込む際に、接続管挿入孔入口部によって銅が剥離され、剥離した銅片が圧縮機構内にかみ込みロックを引き起こさないために行っていた、拡径などの工数がかかるという課題の解決を実現する。【解決手段】接続管挿入孔入口部２１をなだらかに広げた密閉型圧縮機を提供することにより、材質を銅とし、圧縮要素の接続管挿入孔９１への挿入部５１がストレート形状を有する接続管７１を接続管挿入孔９１に挿入する際に、圧入を行っても、挿入孔入口部２１によって銅が剥離され、剥離した銅片が圧縮機構内にかみ込みロックを引き起こさず、拡径などの工数を削減でき、安価で信頼性の高い圧縮機が提供できる。【選択図】  図１
2004225585.tif 000002
【特許請求の範囲】
【請求項１】
密閉容器内部に圧縮要素を収納し、前記圧縮要素に冷媒が流通する接続管挿入孔を設け、この接続管挿入孔に一端を圧入し、他端を前記密閉容器外部でロー付け密封する接続管の材質を銅管とし、前記圧縮要素の接続管挿入孔への挿入部をストレート形状とするとともに、前記接続管挿入孔入口部をなだらかに広げた密閉型圧縮機。
【請求項２】
接続管挿入孔入口部がＲ形状である請求項１記載の密閉型圧縮機。
【請求項３】
接続管挿入孔入口部が３０度以下のテーパ形状である請求項１記載の圧縮機。
【発明の詳細な説明】
【０００１】
【発明の属する技術分野】本発明は、冷凍機、空調機などに使用される密閉型圧縮機の接続管挿入孔の改良に関するものである。
【０００２】
【従来の技術】
従来の密閉型圧縮機において、密閉容器と接続管との接続は、機密性や機械的強度の確保、接続時の圧入工程で発生する剥離片が異物として残留する問題等を解決するため、多くの部品と工程を要する複雑な構成となるのが一般的であった。このような問題点を解決する為に、例えば、接続管の筒壁を内側から径方向外側に押圧して拡径することで、接続管挿入孔の周壁面に圧接しているものがあった。（特許文献１参照）。
【０００３】
図４は、特許文献１に記載された従来の密閉型圧縮機を示すものである。
【０００４】
図４において、密閉容器３内部に圧縮要素４を収納し、圧縮要素４に通じる冷媒が流通する接続管挿入孔９を設け、接続管挿入孔９に、筒状の接続管７の一端部が接続されていると共に、その接続管７の他端部に吸入管１が接続された圧縮機において、接続管７が吸入管１とのロー付けを容易にするため銅によって形成されていると共に、その接続管７の一端部が、接続管７の筒壁を内側から径方向外側に押圧して拡径することによって上記接続管挿入孔９の周壁面に圧接していた。
【０００５】
【特許文献１】
特開平１１−２０１０４１号公報
【０００６】
【発明が解決しようとする課題】
しかしながら、従来の構成では、吸入管１とのロー付けを容易にするため材質を銅とした接続管７を、圧縮要素４の接続管挿入孔９に押し込む際に、挿入孔入口部２によって銅が剥離され、剥離した銅片が圧縮機構内にかみ込みロックを引き起こすため、圧入せずに接続管７の筒壁を内側から径方向外側に押圧して拡径することによって接続管挿入孔９の周壁面に圧接していたため、工数がかかるという問題があった。この為、上記のような構成は発明者等を含め一般的に採用され得るものではなかった。
【０００７】
本発明は、このような従来の課題を解決するもであり、接続管７の材質を銅とするとともに、圧縮要素４の接続管挿入孔９への挿入部５をストレート形状とした接続管７を接続管挿入孔９に挿入する際においても、接続管挿入孔入口部２をなだらかに広げることによって、接続管７を圧入しても銅の剥離を防止し、剥離した銅片が圧縮機構内にかみ込みロックを引き起こさず、拡径などの工数を削減することを目的としたものである。
【０００８】
【課題を解決するための手段】
前記従来の課題を解決するために、本発明の密閉型圧縮機は、密閉容器内部に圧縮要素を収納し、前記圧縮要素に冷媒が流通する接続管挿入孔を設け、この接続管挿入孔に一端を圧入し、他端を前記密閉容器外部でロー付け密封する接続管の材質を銅管とし、前記圧縮要素の接続管挿入孔への挿入部をストレート形状にするとともに、前記接続管挿入孔の入口をなだらかに広げる密閉型圧縮機を提供する。
【０００９】
本構成によって、吸接管とのロー付けを容易にできるとともに、接続管挿入孔に挿入する際に、圧入を行っても、挿入孔入口端部によって銅が剥離され、剥離した銅片が圧縮機構内にかみ込みロックを引き起こさず、拡径などの工数を削減できる。
【００１０】
【発明の実施の形態】
以下本発明の実施形態について、図面を参照しながら説明する。
【００１１】
（実施の形態１）
図１は、本発明の実施の形態１における密閉型圧縮機の要部断面図である。図１において、図４と同じ構成要素については同じ符号を用い、説明を省略する。
【００１２】
図１において、密閉容器３内部に圧縮要素４１を収納し、前記圧縮要素に冷媒が流通する接続管挿入孔９１を設け、この接続管挿入孔９１に一端を圧入し、他端を前記密閉容器３外部でロー付け密封する接続管７１の材質を銅管とし、圧縮要素４１の接続管挿入孔９１への挿入部５１をストレート形状にするとともに、接続管挿入孔９１の入口をなだらかに広げた密閉型圧縮機を提供するものである。
【００１３】
かかる構成によれば、接続管挿入孔９１に挿入する際に、圧入を行っても、挿入孔入口端部によって銅が剥離され、剥離した銅片が圧縮機構内にかみ込みロックを引き起さず、拡径などの工数を削減することができる。
【００１４】
（実施の形態２）
図２は、本発明実施の形態２における密閉型圧縮機の要部断面図である。図２において、図１及び図４と同じ構成要素については同じ符号を用い、説明を省略する。
【００１５】
図２において、接続管挿入孔９２の入口がＲ形状である密閉型圧縮機を提供するものである。
【００１６】
（実施の形態３）
図３は、本発明実施の形態３における密閉型圧縮機の要部断面図である。図３において、図１、図２及び図４と同じ構成要素については同じ符号を用い、説明を省略する。
【００１７】
図３において、接続管挿入孔９３入口が３０度以下のテーパ形状である密閉型圧縮機を提供するものである。
【００１８】
【発明の効果】
以上のように、本発明の密閉型圧縮機によれば、密閉容器内部に圧縮要素を収納し、前記圧縮要素に冷媒が流通する接続管挿入孔を設け、この接続管挿入孔に一端を圧入し、他端を前記密閉容器外部でロー付け密封する接続管の材質を銅管とし、前記圧縮要素の接続管挿入孔への挿入部をストレート形状にするとともに、前記接続管挿入孔の入口をなだらかに広げた密閉型圧縮機を提供することにより、圧入を行っても、接続管の銅が剥離され、剥離した銅片が圧縮機構内にかみ込みロックを引き起こさず、拡径などの工数を削減でき、安価で信頼性の高い圧縮機が提供できる。
【図面の簡単な説明】
【図１】本発明の実施の形態１における密閉型圧縮機の要部断面図
【図２】本発明の実施の形態２における密閉型圧縮機の要部断面図
【図３】本発明の実施の形態３における密閉型圧縮機の要部断面図
【図４】従来の密閉型圧縮機の要部断面図
【符号の説明】
１      吸入管
２      接続管挿入孔入口部
３      密閉容器
４      圧縮要素
５      挿入部
７      接続管
９      接続管挿入孔
【図１】
2004225585.tif 000003
【図２】
2004225585.tif 000004
【図３】
2004225585.tif 000005
【図４】
2004225585.tif 000006